(57)【要約】【課題】第１及び第２のコネクタのうちの一方が備える移動可能なカバー部材の位置により、相互係合した第１及び第２のコネクタの各々のハウジングについての一方の他方に対する係止及び係止解除を安定かつ確実に行える相互係合コネクタ装置を提供する。【解決手段】ハウジング１６及びハウジング１６を回路基板１３に固定する保持金具部材２１を備えたリセプタクルコネクタ１１とハウジング１７及びハウジング１７に対して移動可能とされたカバー部材１４を備えたプラグコネクタ１２とを含み、ハウジング１７がハウジング１６に係合して、保持金具部材２１に設けられた係合係止部２４ａがカバー部材１４に設けられた被係止部２９を係止したもとで、カバー部材１４が所定の方向に移動せしめられるとき、係合係止部２４ａによる被係止部２９に対する係止が解除される。【選択図】図１５
2018139175.tif 000002
【特許請求の範囲】
【請求項１】
第１のハウジング，該第１のハウジングに配列配置された複数の第１のコンタクト、及び、上記第１のハウジングを保持して回路基板に固定する保持金具部材を備えた第１のコネクタと、
上記第１のハウジングとの係合状態をとる第２のハウジング，該第２のハウジングに配列配置されて複数のケーブルに夫々接続され、上記第２のハウジングが上記第１のハウジングとの係合状態をとるとき上記複数の第１のコンタクトに夫々接触接続される状態をとる複数の第２のコンタクト、及び、上記第２のハウジングを部分的に覆うシェル部材を備えた第２のコネクタと、
を含んで構成され、
上記保持金具部材が、上記第１のハウジングの外部に臨む係合係止部を有するものとされたこと、及び、上記第２のコネクタが、上記シェル部材を部分的に覆い、該シェル部材に対して上記複数の第２のコンタクトの配列方向に交差する所定の方向に移動可能に取り付けられたカバー部材を備え、該カバー部材が、上記所定の方向の移動に伴って上記係合係止部により係止される位置と上記係合係止部による係止から解放される位置とを選択的にとる被係止部を有すること、を特徴とする相互係合コネクタ装置。
【請求項２】
上記シェル部材に係合支持部が設けられるとともに上記カバー部材に被支持部が設けられ、上記係合支持部が上記被支持部に係合することにより、上記カバー部材が上記シェル部材に対して上記所定の方向に移動可能に取り付けられたものとされることを特徴とする請求項１記載の相互係合コネクタ装置。
【請求項３】
上記係合支持部が突起部を成すとともに上記被支持部が上記突起部を移動可能に受け入れる長孔部を成し、該長孔部内における上記突起部の移動範囲内において上記カバー部材が上記シェル部材に対して移動可能とされたことを特徴とする請求項２記載の相互係合コネクタ装置。
【請求項４】
上記所定の方向が、上記複数の第２のコンタクトの配列方向に直交する方向とされることを特徴とする請求項１記載の相互係合コネクタ装置。
【請求項５】
上記係合係止部が弾性変位可能に設けられ、上記第２のハウジングが上記第１のハウジングとの係合状態をとるとき、上記係合係止部が弾性変位を生じて上記被係止部を係止する状態をとることができるものとされることを特徴とする請求項１記載の相互係合コネクタ装置。
【請求項６】
上記第２のハウジングが上記第１のハウジングとの係合状態をとるとき、上記複数の第１のコンタクトの配列方向と上記複数の第２のコンタクトの配列方向とが一致せしめられるもとで、上記係合係止部が、上記第１のハウジングにおける上記複数の第１のコンタクトの配列方向の両端部に対を成すものとして夫々配され、上記被係止部が、上記シェル部材を部分的に覆う上記カバー部材における上記複数の第２のコンタクトの配列方向の両端部に対を成すものとして夫々配されたことを特徴とする請求項１記載の相互係合コネクタ装置。
【発明の詳細な説明】
【技術分野】
【０００１】
本願の特許請求の範囲に記載された発明は、回路基板（配線基板を含む）に装着される第１のコネクタとケーブルや配線基板（フレキシブル印刷配線基板（FPC)を含む。）が接続される第２のコネクタとを含み、第１のコネクタと第２のコネクタとが相互係合せしめられることにより、第２のコネクタに接続されたケーブルや配線基板を第１のコネクタが装着された回路基板に電気的に連結する相互係合コネクタ装置に関する。
【背景技術】
【０００２】
複数の比較的細いケーブルや比較的小型なフレキシブル印刷配線基板を、各種の電気部品が取り付けられる回路基板に接続するにあたっては、回路基板にそれとの電気的接続がなされて固定された、例えば、リセプタクルコネクタとされる第１のコネクタと、複数のケーブルあるいはフレキシブル印刷配線基板が接続されて、第１のコネクタに係合接続される、例えば、プラグコネクタとされる第２のコネクタと、が用いられることが多い。第１のコネクタにあっては、例えば、嵌合凹部が設けられ、その嵌合凹部内に、各々の一端部が端子部とされて回路基板に接続されるもとで配列配置された複数の第１の導電コンタクトの接触接続部が配される。また、第２のコネクタにあっては、例えば、嵌合凸部が設けられ、その嵌合凸部に、複数のケーブルあるいはフレキシブル印刷配線基板との電気的接続がなされて配列配置された複数の第２の導電コンタクトの接触接続部が配される。そして、第２のコネクタにおける嵌合凸部は、第１のコネクタにおける嵌合凹部に挿入されるものとされ、嵌合凸部が嵌合凹部に挿入された際には、嵌合凸部に配された複数の第２の導電コンタクトの接触接続部が、嵌合凹部内に配された複数の第１の導電コンタクトの接触接続部に夫々押圧接触する状態におかれる。
【０００３】
第１のコネクタにおける嵌合凹部は、絶縁材料によって構成されて複数の第１の導電コンタクトを支持するハウジングの一部として形成され、また、第２のコネクタにおける嵌合凸部は、絶縁材料によって構成されて複数の第２の導電コンタクトを支持するハウジングの一部として形成される。そして、複数のケーブルあるいはフレキシブル印刷配線基板が連結された第２のコネクタにおける嵌合凸部が、回路基板に固定された第１のコネクタにおける嵌合凹部に挿入される際には、第２のコネクタのハウジングが第１のコネクタのハウジングとの係合状態をとって第１のコネクタと第２のコネクタとが相互係合せしめられ、複数の第１の導電コンタクトと複数の第２の導電コンタクトとが相互接触接続状態におかれる。その結果、第２のコネクタに接続された複数のケーブルあるいはフレキシブル印刷配線基板が、第１のコネクタが固定された回路基板に電気的に連結される。
【０００４】
このようにして、第２のコネクタに接続された複数のケーブルあるいはフレキシブル印刷配線基板を第１のコネクタが固定された回路基板に電気的に連結すべく、複数のケーブルあるいはフレキシブル印刷配線基板が接続された第２のコネクタのハウジングが回路基板に固定された第１のコネクタのハウジングに係合せしめられて、第１のコネクタと第２のコネクタとが相互係合状態におかれるにあたっては、第２のコネクタのハウジングが第１のコネクタのハウジングとの係合状態を安定に維持するものとされることが必要とされる。そのため、従来にあっては、第１及び第２のコネクタを含んで構成され、第１のコネクタと第２のコネクタとが相互係合せしめられたとき、第２のコネクタのハウジングを第１のコネクタのハウジングに対して機械的に係止する係止手段を備えた相互係合コネクタ装置が提案されている（例えば、特許文献１または特許文献２参照。）。
【０００５】
特許文献１に示される相互係合コネクタ装置は、回路基板に固定されるハウジング(62)を備えた第１のコネクタ（相手コネクタ(60)) と、第１のコネクタのハウジングに形成された受入凹部に嵌合する本体部(12)及び本体部(12)の対向端縁部に夫々設けられた一対の弾性部を形成するロックレバー(13)と有したハウジング(11)を備えた第２のコネクタ（コネクタ(10)) と、を含んで構成されている。第２のコネクタには、複数のケーブルを含んだフラットケーブル(F) 等のケーブルが接続される。斯かるもとで、第１のコネクタのハウジングにおける受入凹部には、一対の対応ロック部が設けられており、また、第２のコネクタのハウジングにおける一対のロックレバーの夫々には、押釦部として形成された被圧部(13D) とロック部としてのロック爪(13C-1) とが設けられている。
【０００６】
そして、第２のコネクタのハウジングにおける本体部が、第１のコネクタのハウジングに形成された受入凹部に嵌合したときには、第２のコネクタのハウジングにおける一対のロックレバーの夫々に設けられたロック爪が、第１のコネクタのハウジングにおける受入凹部に設けられた一対の対応ロック部のうちの対応するものに係合する。それにより、第２のコネクタのハウジングが第１のコネクタのハウジングに対して機械的に係止されて、第２のコネクタのハウジングが第１のコネクタのハウジングとの係合状態を安定に維持するものとされる。
【０００７】
その後、第２のコネクタのハウジングを第１のコネクタのハウジングとの係合状態から解放するにあたっては、第２のコネクタのハウジングにおける一対のロックレバーに夫々設けられた一対の被圧部を、同時に第２のコネクタのハウジングに向かう方向に押圧して、一対のロックレバーの夫々に第２のコネクタのハウジングに近接する弾性変位を生じさせる。斯かる一対のロックレバーの夫々の弾性変位に伴って、各ロックレバーに設けられたロック爪が第１のコネクタのハウジングにおける受入凹部に設けられた対応ロック部との係合を解除して当該対応ロック部から離隔する。その結果、第２のコネクタのハウジングが第１のコネクタのハウジングとの係合状態から解放される。そして、例えば、第２のコネクタのハウジングにおける本体部が、第１のコネクタのハウジングに形成された受入凹部から抜脱された後、第２のコネクタのハウジングにおける一対のロックレバーに夫々設けられた一対の被圧部に対する押圧が止められて、一対のロックレバーの夫々が自らの弾性によって元の位置に戻る。
【０００８】
また、特許文献２に示される相互係合コネクタ装置は、ハウジング（インシュレータ(21)）を備えて基板に配された第１のコネクタ（基板側コネクタ(102))、及び、ハウジング（インシュレータ(11)) とハウジングに回動可能に取り付けられた可動操作部材（プルバー(10)）とを備えた第２のコネクタ（プラグ側コネクタ(100))を含んで構成されている。第２のコネクタにおけるケーブル嵌合部(12)には複数のケーブルが接続される。斯かるもとで、第１のコネクタのハウジングにおける内壁状部の外面には、突起部(1) が外方に突出するものとして設けられており、また、第２のコネクタのハウジングにおける外壁状部の外面には、リブ(7) が外方に突出するものとして設けられている。さらに、第２のコネクタに備えられた可動操作部材は、金属棒状部材をもって形成されていて、両端の夫々に腕部(10b) と腕部(10b) の先端を成す回転軸(10a) とを有しており、回転軸(10a) は第２のコネクタのハウジングにおける外壁状部を外側から内側へと貫通していて、第１のコネクタに対する係止部（ロック機構の一部）を成している。
【０００９】
そして、第１のコネクタと第２のコネクタとが相互係合状態におかれたときには、第２のコネクタのハウジングが、その外壁状部が第１のコネクタのハウジングの内壁状部の外側に配されるようにして、第１のコネクタのハウジングに嵌合する。その際、第２のコネクタに備えられた可動操作部材における回転軸が、第１のコネクタのハウジングにおける内壁状部の外面に設けられた突起部に対する係合係止状態をとり、第２のコネクタのハウジングを第１のコネクタのハウジングに対して機械的に係止し、それによって、第１及び第２のコネクタの相互係合状態が維持される。
【００１０】
その後、第２のコネクタに備えられた可動操作部材を回動させると、可動操作部材の腕部が第２のコネクタのハウジングにおける外壁状部の外面に設けられたリブに乗り上げ、それにより、可動操作部材が弾性変形を生じて、可動操作部材の回転軸が、第１のコネクタのハウジングにおける内壁状部の外方に移動せしめられ、第１のコネクタのハウジングにおける内壁状部の外面に設けられた突起部に対する係合係止状態を解除する。その結果、第２のコネクタのハウジングが第１のコネクタのハウジングに対する機械的な係止から解放される。可動操作部材の回転軸が第１のコネクタのハウジングに設けられた突起部に対する係合係止状態を解除した後には、可動操作部材の更なる回動に伴って、弾性変形を生じた可動操作部材が弾性変形を生じていない状態に戻る。
【先行技術文献】
【特許文献】
【００１１】
【特許文献１】特開２００９−１５８３６７号公報
【特許文献２】特開２００５−２６７９７７号公報
【発明の概要】
【発明が解決しようとする課題】
【００１２】
上述のような、従来提案されている、第１及び第２のコネクタを含んで構成され、それら第１及び第２のコネクタが相互係合したとき、一方を他方に対して機械的に係止する係止手段を備えた相互係合コネクタ装置にあっては、第１及び第２のコネクタの夫々に次のような不都合が見られる。
【００１３】
先ず、特許文献１に示される相互係合コネクタ装置にあっては、第２のコネクタのハウジングにおける本体部が第１のコネクタのハウジングに形成された受入凹部に嵌合し、第２のコネクタのハウジングにおける一対のロックレバーの夫々に設けられたロック爪が、第１のコネクタのハウジングにおける受入凹部に設けられた一対の対応ロック部のうちの対応するものに係合して、第２のコネクタのハウジングが第１のコネクタのハウジングに対して機械的に係止されたもとにおいて、例えば、第２のコネクタのハウジングを第１のコネクタのハウジングから離脱させるべく、第２のコネクタのハウジングを第１のコネクタのハウジングとの係合状態から解放するにあたっては、第２のコネクタのハウジングにおける一対のロックレバーに夫々設けられた一対の被圧部を、同時に第２のコネクタのハウジングに向かう方向に押圧する操作が必要とされる。即ち、第２のコネクタのハウジングにおける一対のロックレバーに夫々設けられた一対の被圧部に、それらを同時に第２のコネクタのハウジングに向かう方向に押圧する操作を加えないと、第２のコネクタのハウジングを第１のコネクタのハウジングとの係合状態から解放することができないのである。
【００１４】
斯かる際における第２のコネクタのハウジングに設けられた一対の被圧部を同時に第２のコネクタのハウジングに向かう方向に押圧する操作は、回路基板に他の電子部品等と共に固定された第１のコネクタのハウジングに第２のコネクタのハウジングが機械的に係止されたもとで行われることになるので、他の電子部品等の存在の影響も受けて、極めて行い難くかつ煩わしい操作となってしまう。従って、第１のコネクタのハウジングに対して機械的に係止された第２のコネクタのハウジングを、第１のコネクタのハウジングから離脱させる際には、その都度、第２のコネクタのハウジングに設けられた一対の被圧部に対する極めて行い難くかつ煩わしい操作を行わなければならないことになる。
【００１５】
さらに、特許文献１に示される相互係合コネクタ装置においては、第２のコネクタのハウジングに設けられた一対の被圧部を同時に第２のコネクタのハウジングに向かう方向に押圧する操作は、回路基板に他の電子部品等と共に固定された第１のコネクタのハウジングに機械的に係止された第２のコネクタのハウジングを、その本体部の対向端縁部側から、例えば、親指と人差し指とされる二本の手指で挟む状態をもって行うものとされるが、そのため、第１のコネクタのハウジングが固定された回路基板上において、第１のコネクタのハウジングの本体部における対向端縁部の夫々の外側に、二本の手指を差し入れるための比較的大なるスペースが必要とされる。その結果、第１のコネクタのハウジングが固定される回路基板上の有効利用スペースが低減されてしまう。
【００１６】
また、特許文献２に示される相互係合コネクタ装置にあっては、第１のコネクタと第２のコネクタとが相互係合した状態のもとで、第２のコネクタが備える金属棒状部材で成る可動操作部材における係止部を成す回転軸が、可動操作部材が弾性変形を生じていない状態のもとで、第１のコネクタのハウジングに設けられた突起部に対する係合係止状態をとって、第２のコネクタのハウジングを第１のコネクタのハウジングに対して機械的に係止し、また、可動操作部材が弾性変形を生じた状態のもとで、第１のコネクタのハウジングに設けられた突起部に対する係合係止状態を解除し、第２のコネクタのハウジングを第１のコネクタのハウジングに対する機械的な係止から解放する。従って、第２のコネクタのハウジングが第１のコネクタのハウジングに対して機械的に係止される状態と、第２のコネクタのハウジングが第１のコネクタのハウジングに対する機械的な係止から解放される状態とが繰り返される場合には、第２のコネクタのハウジングが第１のコネクタのハウジングに対して機械的に係止されるとき、一旦弾性変形を生じた後、弾性変形を生じていない状態に戻った可動操作部材における係止部を成す回転軸が、第１のコネクタのハウジングに設けられた突起部に対する係合係止状態をとることになる。
【００１７】
それゆえ、一旦弾性変形を生じた後、弾性変形を生じていない状態に戻った可動操作部材における係止部を成す回転軸が、第１のコネクタのハウジングに設けられた突起部に対する係合係止状態をとるとき、一旦弾性変形を生じた可動操作部材が弾性変形を生じていない状態に戻るにあたり、可動操作部材が、弾性変形に伴う塑性変形を生じて、元の状態には戻らない事態がまねかれる虞がある。斯かる事態がまねかれた際には、可動操作部材の塑性変形によりその回転軸の位置が変位してしまい、回転軸による第１のコネクタのハウジングに設けられた突起部に対する係合係止が適正に行われなくなって、第２のコネクタのハウジングについての第１のコネクタのハウジングに対する機械的な係止が不確実なものとなってしまう。
【００１８】
さらに、特許文献２に示される相互係合コネクタ装置においては、可動操作部材における係止部を成す回転軸が、第２のコネクタのハウジングにおける外壁状部を外側から内側へと貫通して第２のコネクタのハウジングによって支持されたもとで、第１のコネクタのハウジングに設けられた突起部に対する係合係止状態をとるものとされている。即ち、可動操作部材における係止部を成す回転軸は、大なる剛性を有した金属部材に係合することなく、剛性において劣る絶縁材料により形成された第２のコネクタのハウジング及び第１のコネクタのハウジングに係合することによって、第２のコネクタのハウジングを第１のコネクタのハウジングに対して機械的に係止するものとされている。それゆえ、とりわけ、第１及び第２のコネクタの小型・軽量化が図られて、第１のコネクタのハウジング及び第２のコネクタのハウジングの夫々の肉厚等が低減せしめられるもとにあっては、可動操作部材における回転軸の第２のコネクタのハウジングによる支持が堅固になされず、可動操作部材における回転軸による第１のコネクタのハウジングに設けられた突起部に対する係合係止を十分な信頼性をもって確実に行うことができなくなってしまう虞がある。
【００１９】
斯かる点に鑑み、本願の特許請求の範囲に記載された発明は、回路基板に装着される第１のコネクタとケーブルや配線基板が接続される第２のコネクタとを含み、第１及び第２のコネクタが相互係合せしめられることにより、第２のコネクタに接続されたケーブルや配線基板を第１のコネクタが装着された回路基板に電気的に連結された状態におくことができる機構を成すものであって、第２のコネクタのハウジングが第１のコネクタのハウジングとの係合状態をとって第１のコネクタと第２のコネクタとが相互係合せしめられる状態のもとで、第１のコネクタに設けられた係止手段と第２のコネクタに変位可能に配された被係止手段とにより、第２のコネクタのハウジングについての第１のコネクタのハウジングに対する係止及び係止の解除を、回路基板上の有効利用スペースを低減させることなく行われる簡単で容易な操作をもって、十分な信頼性のもとに安定かつ確実に行うことができる相互係合コネクタ装置を提供する。
【課題を解決するための手段】
【００２０】
本願の特許請求の範囲における請求項１から請求項６までのいずれかに記載された発明（以下、本願発明という。）に係る相互係合コネクタ装置は、第１のハウジング，第１のハウジングに配列配置された複数の第１のコンタクト、及び、第１のハウジングを保持して回路基板に固定する保持金具部材を備えた第１のコネクタと、第１のハウジングとの係合状態をとる第２のハウジング，第２のハウジングに配列配置されて複数のケーブルに夫々接続され、第２のハウジングが第１のハウジングとの係合状態をとるとき複数の第１のコンタクトに夫々接触接続される状態をとる複数の第２のコンタクト、及び、第２のハウジングを部分的に覆うシェル部材を備えた第２のコネクタと、を含んで構成され、保持金具部材が、第１のハウジングの外部に臨む係合係止部を有するものとされたこと、及び、第２のコネクタが、シェル部材を部分的に覆い、シェル部材に対して複数の第２のコンタクトの配列方向に交差する所定の方向に移動可能に取り付けられたカバー部材を備え、カバー部材が、所定の方向の移動に伴って係合係止部により係止される位置と係合係止部による係止から解放される位置とを選択的にとる被係止部を有すること、を特徴とするものとされる。
【００２１】
特に、本願発明のうちの請求項２に記載された発明にあっては、第２のコネクタが備えるシェル部材に、例えば、突起部を成す係合支持部が設けられるとともに、第２のコネクタが備えるカバー部材に、例えば、長孔部を成す被支持部が設けられ、係合支持部が被支持部に係合することにより、カバー部材がシェル部材に対して所定の方向に移動可能に取り付けられたものとされる。斯かるもとにおいては、例えば、長孔部内における突起部の移動範囲内において、カバー部材がシェル部材に対して移動可能とされる。
【００２２】
上述のような本願発明に係る相互係合コネクタ装置にあっては、第２のコネクタの第２のハウジングが第１のコネクタの第１のハウジングとの係合状態におかれたとき、第２のコネクタにおける複数の第２のコンタクトが第１のコネクタにおける複数の第１のコンタクトに夫々接触接続される。また、それとともに、第１のコネクタが備える保持金具部材が有する係合係止部が第２のコネクタが備えるカバー部材が有する被係止部に係合して当該被係止部に対する係止を行うものとされ、このとき、被係止部は係合係止部により係止される位置をとるものとされる。それにより、カバー部材が移動可能に取り付けられたシェル部材によって部分的に覆われた第２のコネクタのハウジングが、保持金具部材によって回路基板に固定された第１のコネクタのハウジングに対して機械的に係止された状態におかれる。
【００２３】
係合係止部は、例えば、弾性変位可能に設けられていて、第２のハウジングの第１のハウジングとの係合に伴って被係止部に対する係止を行うにあたっては，弾性変位を生じて被係止部に係合することにより当該被係止部を係止する状態をとることができる。
【００２４】
その後、第１のコネクタが備える保持金具部材が有する係合係止部が第２のコネクタが備えるカバー部材が有する被係止部に係合して当該被係止部に対する係止を行うものとされたもとにおいて、カバー部材が、シェル部材に対して、複数の第２のコンタクトの配列方向に交差する所定の方向、例えば、複数の第２のコンタクトの配列方向に直交する方向に移動せしめられると、それに伴ってカバー部材が有する被係止部が上述の所定の方向に移動して、保持金具部材が有する係合係止部による係止から解放される位置をとる。それにより、カバー部材が移動可能に取り付けられたシェル部材によって部分的に覆われた第２のコネクタのハウジングが、保持金具部材によって回路基板に固定された第１のコネクタのハウジングに対する係止から解放された状態におかれ、第１のコネクタのハウジングから抜脱され得るものとされる。
【００２５】
本願発明に係る相互係合コネクタ装置の一例においては、第２のハウジングが第１のハウジングとの係合状態をとるとき、第１のハウジングに配列配置された複数の第１のコンタクトの配列方向と第２のハウジングに配列配置された複数の第２のコンタクトの配列方向とが一致せしめられるもとで、第１のコネクタが備える保持金具部材が有する係合係止部が、第１のハウジングにおける複数の第１のコンタクトの配列方向の両端部に、対を成すものとして夫々配され、また、第２のコネクタが備えるカバー部材が有する被係止部が、第２のハウジングを部分的に覆うシェル部材に移動可能に取り付けられたカバー部材における複数の第２のコンタクトの配列方向の両端部に、対を成すものとして夫々配される。
【発明の効果】
【００２６】
本願発明に係る相互係合コネクタ装置にあっては、第２のコネクタの第２のハウジングが第１のコネクタの第１のハウジングとの係合状態をとるとき、第１のコネクタが備える保持金具部材が有する係合係止部が第２のコネクタが備えるカバー部材が有する被係止部に係合して当該被係止部に対する係止を行うものとされ、それにより、カバー部材が移動可能に取り付けられたシェル部材によって部分的に覆われた第２のコネクタのハウジングが、保持金具部材によって回路基板に固定された第１のコネクタのハウジングに対して機械的に係止された状態におかれる。また、第２のハウジングが第１のハウジングに対して係止されたもとで、カバー部材が、シェル部材に対して、複数の第２のコンタクトの配列方向に交差する所定の方向に移動せしめられると、それに伴ってカバー部材が有する被係止部が上述の所定の方向に移動して、保持金具部材が有する係合係止部による係止から解放される位置をとり、それにより、カバー部材が移動可能に取り付けられたシェル部材によって部分的に覆われた第２のコネクタのハウジングが、保持金具部材によって回路基板に固定された第１のコネクタのハウジングに対する機械的な係止から解放された状態におかれ、第１のコネクタのハウジングから抜脱され得るものとされる。従って、本願発明に係る相互係合コネクタ装置によれば、第１及び第２のコネクタの小型・軽量化が図られて、第１のコネクタのハウジング及び第２のコネクタのハウジングの夫々の肉厚等が低減せしめられるもとにあっても、第２のハウジングが第１のハウジングとの係合状態をとるときには、第１のコネクタが備える保持金具部材が有する係合係止部と第２のコネクタが備えるカバー部材が有する被係止部とにより、第２のハウジングについての第１のハウジングに対する係止及び係止の解除を、十分な信頼性のもとに安定かつ確実に行うことができる。
【００２７】
斯かるもとで、第１のコネクタが備える保持金具部材が有する係合係止部による第２のコネクタが備えるカバー部材が有する被係止部に対する係止を行わせるにあたっての操作は、第２のコネクタの第２のハウジングを第１のコネクタの第１のハウジングに係合させることで足り、また、第１のコネクタが備える保持金具部材が有する係合係止部による第２のコネクタが備えるカバー部材が有する被係止部に対する係止を解除するにあたっての操作は、カバー部材を、シェル部材に対して、複数の第２のコンタクトの配列方向に交差する所定の方向、例えば、複数の第２のコンタクトの配列方向に直交する方向、に移動させることで足りる。それゆえ、本願発明に係る相互係合コネクタ装置によれば、第２のコネクタのハウジングについての第１のコネクタのハウジングに対する係止及び係止の解除を、第１のコネクタのハウジングが固定された回路基板上の有効利用スペースを低減させることなく行われる簡単で容易な操作をもって、しかも、上述のように、十分な信頼性のもとに安定かつ確実に、行うことができることになる。
【図面の簡単な説明】
【００２８】
【図１】本願発明に係る相互係合コネクタ装置の一例を構成するリセプタクルコネクタとプラグコネクタとを、リセプタクルコネクタについては回路基板に装着された状態をもって、また、プラグコネクタについては、それからカバー部材が取り外されたもとで、複数のケーブルが接続された状態をもって示す分解斜視図である。
【図２】本願発明に係る相互係合コネクタ装置の一例を構成するカバー部材が取り去られたプラグコネクタを、それから更にシェル部材が取り外された状態をもって示す分解斜視図である。
【図３】本願発明に係る相互係合コネクタ装置の一例を構成するリセプタクルコネクタとプラグコネクタとを、リセプタクルコネクタが回路基板に装着され、プラグコネクタに複数のケーブルが接続されたもとで、両者が相互係合した状態をもって示す斜視図である。
【図４】本願発明に係る相互係合コネクタ装置の一例を構成するリセプタクルコネクタとプラグコネクタとを、リセプタクルコネクタが回路基板に装着され、プラグコネクタに複数のケーブルが接続されたもとで、両者が相互係合した状態をもって示す平面図である。
【図５】本願発明に係る相互係合コネクタ装置の一例を構成するリセプタクルコネクタとプラグコネクタとを、リセプタクルコネクタが回路基板に装着され、プラグコネクタに複数のケーブルが接続されたもとで、両者が相互係合した状態をもって示す正面図である。
【図６】本願発明に係る相互係合コネクタ装置の一例を構成するリセプタクルコネクタとプラグコネクタとを、リセプタクルコネクタが回路基板に装着され、プラグコネクタに複数のケーブルが接続されたもとで、両者が相互係合した状態をもって示す側面図である。
【図７】図５における VII−VII 線断面を示す断面図である。
【図８】本願発明に係る相互係合コネクタ装置の一例を構成するリセプタクルコネクタとプラグコネクタとについての、複数のケーブルが接続されたプラグコネクタがリセプタクルコネクタに係合接続される過程を示す側面図である。
【図９】図８におけるIX−IX線断面を部分的に示す断面図である。
【図１０】本願発明に係る相互係合コネクタ装置の一例を構成するリセプタクルコネクタとプラグコネクタとについての、複数のケーブルが接続されたプラグコネクタがリセプタクルコネクタに係合接続される過程を示す側面図である。
【図１１】図１０におけるXI−XI線断面を部分的に示す部分断面図である。
【図１２】本願発明に係る相互係合コネクタ装置の一例を構成するリセプタクルコネクタとプラグコネクタとについての、複数のケーブルが接続されたプラグコネクタがリセプタクルコネクタに係合接続された状態を示す側面図である。
【図１３】図１２におけるXIII−XIII線断面を部分的に示す部分断面図である。
【図１４】本願発明に係る相互係合コネクタ装置の一例を構成するリセプタクルコネクタとプラグコネクタとについての、複数のケーブルが接続されたプラグコネクタが回路基板に装着されたリセプタクルコネクタに係合接続されたもとで、プラグコネクタが備えるカバー部材がプラグコネクタが備えるシェル部材に対して移動せしめられた状態を示す平面図である。
【図１５】本願発明に係る相互係合コネクタ装置の一例を構成するリセプタクルコネクタとプラグコネクタとについての、複数のケーブルが接続されたプラグコネクタが回路基板に装着されたリセプタクルコネクタに係合接続されたもとで、プラグコネクタが備えるカバー部材がプラグコネクタが備えるシェル部材に対して移動せしめられた状態を示す側面図である。
【図１６】図１５における XVI−XVI 線断面を部分的に示す部分断面図である。
【発明を実施するための形態】
【００２９】
本願発明を実施するための形態は、以下に述べられる本願発明についての実施例をもって説明される。
【実施例】
【００３０】
図１は、本願発明に係る相互係合コネクタ装置の一例を構成する第１のコネクタを成すリセプタクルコネクタ１１と第２のコネクタを成すプラグコネクタ１２とを、リセプタクルコネクタ１１については回路基板１３に装着された状態をもって、また、プラグコネクタ１２については、それからカバー部材１４が取り外されたもとで、配列配置された複数のケーブル１５が接続された状態をもって示す。以下においては、第１のコネクタをリセプタクルコネクタ１１と言い、第２のコネクタをプラグコネクタ１２と言う。リセプタクルコネクタ１１とプラグコネクタ１２とは、相互係合状態をとるものとされている。
【００３１】
図１に示されるリセプタクルコネクタ１１は、合成樹脂等の絶縁材料によって形成されたハウジング１６（第１のハウジング）を備えており、ハウジング１６は回路基板１３における図１において上方に向いた面（以下、上面という。）に配されている。
【００３２】
ハウジング１６には、プラグコネクタ１２のハウジング１７（第２のハウジング）に設けられた、後述される図７に示される、嵌合凸部３１が挿入される嵌合凹部１８が、ハウジング１６の長手方向に沿って伸びる溝部を成すものとして設けられており、プラグコネクタ１２のハウジング１７に設けられた嵌合凸部３１がリセプタクルコネクタ１１のハウジング１６に設けられた嵌合凹部１８に挿入されたとき、ハウジング１７がハウジング１６との係合状態におかれる。また、ハウジング１６には、各々が弾性を有した導電性板材により形成された屈曲帯状部材を成す複数のリセプタクル側コンタクト１９（第１のコンタクト）が、ハウジング１６の長手方向に沿って配列配置されている。従って、ハウジング１６における複数のリセプタクル側コンタクト１９の配列方向はハウジング１６の長手方向とされていることになる。そして、複数のリセプタクル側コンタクト１９の夫々には、回路基板１３の上面に設けられた配線端子部（図示が省略されている。）に接続される基板接続部１９ａと、後述されるプラグコネクタ１２に備えられるプラグ側コンタクト３０（第２のコンタクト）におけるプラグコネクタ１２のハウジング１７に設けられた嵌合凸部３１に配された当接部３０ｂが当接する接触接続部１９ｂとが、夫々帯状部材の両端部分を成すものとして設けられている。接触接続部１９ｂは、嵌合凹部１８内に配されるものとされている。
【００３３】
さらに、ハウジング１６には、複数のリセプタクル側コンタクト１９の配列を挟んで対向する一対の端部２０に、ハウジング１６を保持して回路基板１３に固定する一対の保持金具部材２１が夫々取り付けられている。これら一対の保持金具部材２１の各々は、例えば、弾性金属板材に打抜き・屈曲加工が施されて形成され、ハウジング１６の端部２０に係合するハウジング抑え部２２と回路基板１３の上面に配される半田付け部２３とハウジング１６の端部２０の外部に臨む係合係止部２４とを有している。
【００３４】
一対の保持金具部材２１の夫々における半田付け部２３は、回路基板１３の上面に半田付けされて固定され、それにより一対の保持金具部材２１がハウジング１６を保持して回路基板１３に固定する状態がとられる。また、一対の保持金具部材２１の夫々における係合係止部２４は、一対の係合爪部２４ａを突出させて実質的に回路基板１３の上面に立設されたものとされており、ハウジング１６の端部２０に対して近接あるいは離隔する方向に弾性変位可能とされて設けられている。
【００３５】
図１に示される第２のコネクタを成すプラグコネクタ１２は、合成樹脂等の絶縁材料によって形成されたハウジング１７と、ハウジング１７にそれを部分的に覆う状態をもって固定されたシェル部材２５と、シェル部材２５を部分的に覆うものとして、シェル部材２５に対して移動可能に取り付けられたカバー部材１４と、を備えている。シェル部材２５に対するカバー部材１４の移動方向は、シェル部材２５が固定されたハウジング１７の長手方向に交差する所定の方向、例えば、ハウジング１７の長手方向に直交する方向とされる。そして、シェル部材２５は、例えば、金属板材に打ち抜き・屈曲加工が施されて形成されたものとされており、カバー部材１４も、例えば、金属板材に打ち抜き・屈曲加工が施されて形成されたものとされている。さらに、プラグコネクタ１２には、各々が同軸ケーブルとされた複数のケーブル１５が、ハウジング１７の長手方向に沿って配列配置されて接続されている。
【００３６】
シェル部材２５には、ハウジング１７における複数のケーブル１５が外部に導出される端面部１７ａに対向する端面部１７ｂを全面的に覆う垂下平板部２５ａを有しており、さらに、ハウジング１７における長手方向の両端部に対応する位置をとるその両端部２６に、各々が突起部を成す一対の係合支持部２７が夫々設けられている。また、カバー部材１４には、シェル部材２５に対して移動可能に取り付けられるにあたって、シェル部材２５に設けられた係合支持部２７が成す突起部を移動可能に受け入れる、例えば、ハウジング１７の長手方向に直交する方向とされるハウジング１７の長手方向に交差する所定の方向に伸びる長孔部を成す被支持部２８が設けられている。シェル部材２５に設けられた係合支持部２７は対を成す２個とされているので、カバー部材１４に設けられた被支持部２８も対を成す２個とされている（一対の被支持部２８のうちの一方は図に現れていない。）。そして、カバー部材１４における被支持部２８が成す長孔部に受け入れられたシェル部材２５における係合支持部２７が成す突起部は、被支持部２８が成す長孔部内においてその長孔部が伸びる方向に沿って移動できるものとされる。それにより、カバー部材１４は、シェル部材２５に対して、被支持部２８が成す長孔部内における係合支持部２７が成す突起部の移動範囲内において、例えば、ハウジング１７の長手方向に直交する方向とされるハウジング１７の長手方向に交差する所定の方向に移動可能とされていて、シェル部材２５の垂下平板部２５ａ側に寄った第１の静止位置とハウジング１７における端面部１７ａから外部に導出される複数のケーブル１５側に寄った第２の静止位置とを選択的にとり得るものとされていることになる。
【００３７】
さらに、カバー部材１４は、それがシェル部材２５に移動可能に取り付けられたもとにおいて、プラグコネクタ１２のハウジング１７に設けられた嵌合凸部３１がリセプタクルコネクタ１１のハウジング１６に設けられた嵌合凹部１８に挿入されて、ハウジング１７がハウジング１６との係合状態におかれるとき、ハウジング１６に取り付けられた一対の保持金具部材２１が夫々有する一対の係合係止部２４により夫々係止される状態をとる一対の被係止部２９を有している。斯かる一対の被係止部２９の夫々は、カバー部材１４がシェル部材２５に移動可能に取り付けられたプラグコネクタ１２のハウジング１７に設けられた嵌合凸部３１がリセプタクルコネクタ１１のハウジング１６に設けられた嵌合凹部１８に挿入されたもとにおいて、カバー部材１４のシェル部材２５に対する上述の所定の方向の移動に伴って、ハウジング１６に取り付けられた保持金具部材２１が有する係合係止部２４により係止される位置と係合係止部２４による係止から解放される位置とを選択的にとるものとされる。具体的には、カバー部材１４が上述の第１の静止位置をとるとき、係合係止部２４により係止される位置をとり、カバー部材１４が上述の第２の静止位置をとるとき、係合係止部２４による係止から解放される位置をとる。斯かる際、被係止部２９に対する係合係止部２４による係止は、係合係止部２４に設けられた係合爪部２４ａが被係止部２９に係合することにより行われる。
【００３８】
カバー部材１４が取り去られたプラグコネクタ１２をそれから更にシェル部材２５が取り外された状態をもって示す図２に示されるように、プラグコネクタ１２のハウジング１７には、各々が弾性を有した導電性板材により形成された屈曲帯状部材を成す複数のプラグ側コンタクト３０（第２のコンタクト）が、ハウジング１７の長手方向に沿って配列配置されている。従って、ハウジング１７における複数のプラグ側コンタクト３０の配列方向はハウジング１７の長手方向とされていることになる。そして、後述される図７に示されるように、複数のプラグ側コンタクト３０の夫々には、ハウジング１７の長手方向に沿って配列配置された複数のケーブル１５のうちの対応するものの中心導体１５ａが接続されるケーブル接続部３０ａと、ハウジング１７に設けられた嵌合凸部３１（図２には現れていない。）に配されて、リセプタクル側コンタクト１９における接触接続部１９ｂに当接する当接部３０ｂとが設けられている。ケーブル１５の中心導体１５ａのプラグ側コンタクト３０のケーブル接続部３０ａとの接続は、例えば、半田付けにより行われる。そして、ハウジング１７に設けられた嵌合凸部３１は、それに配された複数のプラグ側コンタクト３０における当接部３０ｂを伴って、リセプタクルコネクタ１１のハウジング１６に設けられた嵌合凹部１８に挿入されるものとされている。
【００３９】
また、ハウジング１７には、配列配置された複数のケーブル１５の夫々の外側導体１５ｂに、例えば、半田付けによって接続された接地接続板部材３２が、ハウジング１７の長手方向に沿って伸びるものとして配されている。図７に示されるように、接地接続板部材３２は複数のケーブル１５の夫々の外側導体１５ｂを挟む一対の導電性板材によって構成されている。
【００４０】
上述のように、図１及び図２においては分解されて示されている、ハウジング１７とシェル部材２５とカバー部材１４とを備えたプラグコネクタ１２は、図３（斜視図），図４（平面図），図５（正面図），図６（側面図）及び図７（図５における VII−VII 線断面を示す断面図）に示されるように、複数のケーブル１５が接続された状態をもって、回路基板１３に装着されたリセプタクルコネクタ１１との相互係合状態をとるものとされて使用に供される。プラグコネクタ１２がリセプタクルコネクタ１１との相互係合状態をとる際には、リセプタクルコネクタ１１におけるハウジング１６の長手方向、即ち、複数のリセプタクル側コンタクト１９の配列方向と、プラグコネクタ１２におけるハウジング１７の長手方向、即ち、複数のプラグ側コンタクト３０の配列方向と、が一致せしめられたもとで、前述のように、リセプタクルコネクタ１１のハウジング１６に設けられた嵌合凹部１８にプラグコネクタ１２のハウジング１７に設けられた嵌合凸部３１が挿入されて、プラグコネクタ１２のハウジング１７が、図７に示されるような、リセプタクルコネクタ１１のハウジング１６との係合状態をとる。
【００４１】
このようにして、プラグコネクタ１２のハウジング１７がリセプタクルコネクタ１１のハウジング１６との係合状態をとるものとされるにあたっては、先ず、図８（側面図）及び図９（図８におけるIX−IX線断面の部分を示す部分断面図）に示されるように、複数のケーブル１５が接続されたプラグコネクタ１２が、例えば、カバー部材１４が第１の静止位置をとるものとされたもとで、リセプタクルコネクタ１１のハウジング１６の長手方向、即ち、複数のリセプタクル側コンタクト１９の配列方向と、プラグコネクタ１２のハウジング１７の長手方向、即ち、複数のプラグ側コンタクト３０の配列方向とを一致させるようにして、例えば、図８及び図９においてリセプタクルコネクタ１１の上方となる位置をとるものとして、回路基板１３に装着されたリセプタクルコネクタ１１に対して対向配置せしめられる。
【００４２】
斯かる際には、プラグコネクタ１２のハウジング１７に設けられた嵌合凸部３１が、回路基板１３の上面に配されたリセプタクルコネクタ１１のハウジング１６に設けられた嵌合凹部１８に対応する位置におかれる。また、このとき、プラグコネクタ１２のカバー部材１４が有する一対の被係止部２９の夫々が、リセプタクルコネクタ１１のハウジング１６に取り付けられた保持金具部材２１が有する係合係止部２４に対応する位置におかれる。
【００４３】
次に、プラグコネクタ１２が回路基板１３に装着されたリセプタクルコネクタ１１に向けて移動せしめられ、図１０（側面図）及び図１１（図１０におけるXI−XI線断面の部分を示す部分断面図）に示されるように、プラグコネクタ１２のハウジング１７に設けられた嵌合凸部３１が、リセプタクルコネクタ１１のハウジング１６に設けられた嵌合凹部１８に挿入され始めるとともに、プラグコネクタ１２のカバー部材１４が有する被係止部２９が、リセプタクルコネクタ１１における保持金具部材２１が有する係合係止部２４に設けられた係合爪部２４ａに当接する状態がとられる。斯かる際においては、係合係止部２４に設けられた係合爪部２４ａに当接したカバー部材１４が有する被係止部２９は、当該係合爪部２４ａをハウジング１６の端部２０に向かう方向に押圧し、係合係止部２４にハウジング１６の端部２０に近接する方向の弾性変位を生じさせる。
【００４４】
続いて、プラグコネクタ１２が回路基板１３に装着されたリセプタクルコネクタ１１に向けて更に移動せしめられ、プラグコネクタ１２のハウジング１７に設けられた嵌合凸部３１が、リセプタクルコネクタ１１のハウジング１６に設けられた嵌合凹部１８への挿入を完了して、図１２（側面図）及び図１３（図１２におけるXIII−XIII線断面の部分を示す部分断面図）に示されるように、ハウジング１７がハウジング１６との係合状態におかれるとともに、プラグコネクタ１２のカバー部材１４が有する被係止部２９が、リセプタクルコネクタ１１における保持金具部材２１が有する係合係止部２４に設けられた係合爪部２４ａから外れて当該係合爪部２４ａに対する押圧を解除し、それに伴って、係合係止部２４が弾性変位を生じた状態から元に戻り、係合係止部２４に設けられた係合爪部２４ａがカバー部材１４が有する被係止部２９に係合して当該被係止部２９を係止する状態がとられる。それにより、プラグコネクタ１２のハウジング１７が、保持金具部材２１が有する係合係止部２４とカバー部材１４が有する被係止部２９とによって、リセプタクルコネクタ１１のハウジング１６に対して機械的に係止され、プラグコネクタ１２のハウジング１７のリセプタクルコネクタ１１のハウジング１６との係合状態が、十分な信頼性をもって安定かつ確実に維持される。
【００４５】
そして、プラグコネクタ１２のハウジング１７がリセプタクルコネクタ１１のハウジング１６との係合状態をとるもとにあっては、図７に示されるように、ハウジング１７に設けられた嵌合凸部３１がハウジング１６に設けられた嵌合凹部１８に挿入されており、嵌合凸部３１に配されたプラグ側コンタクト３０における当接部３０ｂが、嵌合凹部１８内に臨むものとされたリセプタクル側コンタクト１９における接触接続部１９ｂに当接する。それにより、プラグコネクタ１２のハウジング１７に配列配置された複数のプラグ側コンタクト３０がリセプタクルコネクタ１１のハウジング１６に配列配置された複数のリセプタクル側コンタクト１９に夫々接触接続される。その結果、各々の中心導体１５ａが複数のプラグ側コンタクト３０の夫々におけるケーブル接続部３０ａに接続された複数のケーブル１５が、複数のプラグ側コンタクト３０及び複数のリセプタクル側コンタクト１９を介して、複数のリセプタクル側コンタクト１９の夫々における基板接続部１９ａが接続された配線端子部を有する回路基板１３に電気的に連結される。
【００４６】
上述のようにして、プラグコネクタ１２のハウジング１７が、保持金具部材２１が有する係合係止部２４とカバー部材１４が有する被係止部２９とによって、リセプタクルコネクタ１１のハウジング１６に対して機械的に係止されたもとで、図１４（平面図），図１５（側面図）及び図１６（図１５における XVI−XVI 線断面の部分を示す部分断面図）に示されるように、プラグコネクタ１２に備えられたカバー部材１４を、例えば、ハウジング１７の長手方向に直交する方向とされるハウジング１７の長手方向に交差する所定の方向に移動させて、第１の静止位置から第２の静止位置に移行するものとなすと、斯かるカバー部材１４の移動に伴って、カバー部材１４が有する被係止部２９が、リセプタクルコネクタ１１における保持金具部材２１が有する係合係止部２４に対してハウジング１７における端面部１７ａから外部に導出される複数のケーブル１５側へと移動せしめられ、係合係止部２４に設けられた係合爪部２４ａとの係合を解除して、係合爪部２４ａによる係止から解放される。それにより、プラグコネクタ１２のハウジング１７が、保持金具部材２１が有する係合係止部２４とカバー部材１４が有する被係止部２９とによって、リセプタクルコネクタ１１のハウジング１６に対して機械的に係止された状態から解放され、リセプタクルコネクタ１１のハウジング１６から離脱され得る状態におかれる。
【００４７】
これよりして、上述のようなリセプタクルコネクタ１１とプラグコネクタ１２とによれば、プラグコネクタ１２のハウジング１７についてのリセプタクルコネクタ１１のハウジング１６に対する機械的な係止の解除を、プラグコネクタ１２に備えられたカバー部材１４を、例えば、ハウジング１７の長手方向に直交する方向とされるハウジング１７の長手方向に交差する所定の方向に移動させるだけの、リセプタクルコネクタ１１のハウジング１６が固定された回路基板１３上の有効利用スペースを低減させることなく行われる簡単で容易な操作をもって、十分な信頼性のもとに安定かつ確実に行うことができることになる。
【００４８】
なお、上述においては、複数のケーブル１５が接続されたプラグコネクタ１２におけるカバー部材１４が第１の静止位置をとるものとされたもとで、プラグコネクタ１２のハウジング１７がリセプタクルコネクタ１１のハウジング１６との係合状態をとるものとされて、プラグコネクタ１２のカバー部材１４が有する被係止部２９が、リセプタクルコネクタ１１における保持金具部材２１が有する係合係止部２４にハウジング１６の端部２０に近接する方向の弾性変位を生じさせた後に、係合係止部２４に設けられた係合爪部２４ａがカバー部材１４が有する被係止部２９に係合して当該被係止部２９を係止する状態がとられるようにされているが、それとは異なり、複数のケーブル１５が接続されたプラグコネクタ１２におけるカバー部材１４が第２の静止位置をとるものとされたもとで、プラグコネクタ１２のハウジング１７がリセプタクルコネクタ１１のハウジング１６との係合状態をとるものとされてもよい。斯かる際には、プラグコネクタ１２のハウジング１７にリセプタクルコネクタ１１のハウジング１６との係合状態をとらせた後に、プラグコネクタ１２に備えられたカバー部材１４を、例えば、ハウジング１７の長手方向に直交する方向とされるハウジング１７の長手方向に交差する所定の方向に移動させて、第２の静止位置から第１の静止位置に移行するものとなす。それにより、カバー部材１４が有する被係止部２９が、カバー部材１４の移動に伴って、リセプタクルコネクタ１１における保持金具部材２１が有する係合係止部２４に設けられた係合爪部２４ａに係合して当該係合爪部２４ａにより係止されるものとされ、前述の図１２及び図１３に示されるように、プラグコネクタ１２のハウジング１７が、保持金具部材２１が有する係合係止部２４とカバー部材１４が有する被係止部２９とによって、リセプタクルコネクタ１１のハウジング１６に対して機械的に係止された状態におかれる。
【００４９】
以上のようなリセプタクルコネクタ１１とプラグコネクタ１２とを含んで構成される本願発明に係る相互係合コネクタ装置の一例にあっては、プラグコネクタ１２のハウジング１７がリセプタクルコネクタ１１のハウジング１６との係合状態をとるとき、リセプタクルコネクタ１１が備える一対の保持金具部材２１が夫々有する一対の係合係止部２４が、プラグコネクタ１２が備えるカバー部材１４が有する一対の被係止部２９に夫々係合して当該被係止部２９に対する係止を行うものとされ、それにより、カバー部材１４が移動可能に取り付けられたシェル部材２５によって部分的に覆われたプラグコネクタ１２のハウジング１７が、保持金具部材２１によって回路基板１３に固定されたリセプタクルコネクタ１１のハウジング１６に対して機械的に係止された状態におかれる。また、プラグコネクタ１２のハウジング１７がリセプタクルコネクタ１１のハウジング１６に対して係止されたもとで、プラグコネクタ１２が備えるカバー部材１４が、シェル部材２５に対して、例えば、複数のプラグ側コンタクト３０の配列方向に直交する方向とされる、複数のプラグ側コンタクト３０の配列方向に交差する所定の方向に移動せしめられると、それに伴ってカバー部材１４が有する被係止部２９が上述の所定の方向に移動して、リセプタクルコネクタ１１が備える保持金具部材２１が有する係合係止部２４による係止から解放される位置をとり、それにより、カバー部材１４が移動可能に取り付けられたシェル部材２５によって部分的に覆われたプラグコネクタ１２のハウジング１７が、保持金具部材２１によって回路基板１３に固定されたリセプタクルコネクタ１１のハウジング１６に対する機械的な係止から解放された状態におかれ、リセプタクルコネクタ１１のハウジング１６から抜脱され得るものとされる。従って、リセプタクルコネクタ１１とプラグコネクタ１２とを含んで構成される本願発明に係る相互係合コネクタ装置の一例によれば、リセプタクルコネクタ１１及びプラグコネクタ１２の小型・軽量化が図られて、リセプタクルコネクタ１１のハウジング１６及びプラグコネクタ１２のハウジング１７の夫々の肉厚等が低減せしめられるもとにあっても、プラグコネクタ１２のハウジング１７がリセプタクルコネクタ１１のハウジング１６との係合状態をとるときには、リセプタクルコネクタ１１が備える保持金具部材２１が有する係合係止部２４とプラグコネクタ１２が備えるカバー部材１４が有する被係止部２９とにより、プラグコネクタ１２のハウジング１７についてのリセプタクルコネクタ１１のハウジング１６に対する係止及び係止の解除を、十分な信頼性のもとに安定かつ確実に行うことができる。
【００５０】
斯かるもとで、リセプタクルコネクタ１１が備える保持金具部材２１が有する係合係止部２４によるプラグコネクタ１２が備えるカバー部材１４が有する被係止部２９に対する係止を行わせるにあたっての操作は、プラグコネクタ１２のハウジング１７をリセプタクルコネクタ１１のハウジング１６に係合させることで足り、また、リセプタクルコネクタ１１が備える保持金具部材２１が有する係合係止部２４によるプラグコネクタ１２が備えるカバー部材１４が有する被係止部２９に対する係止を解除するにあたっての操作は、カバー部材１４を、シェル部材２５に対して、例えば、複数のプラグ側コンタクト３０の配列方向に直交する方向とされる、複数のプラグ側コンタクト３０の配列方向に交差する所定の方向に移動させることで足りる。それゆえ、リセプタクルコネクタ１１とプラグコネクタ１２とを含んで構成される本願発明に係る相互係合コネクタ装置の一例によれば、プラグコネクタ１２のハウジング１７についてのリセプタクルコネクタ１１のハウジング１６に対する係止及び係止の解除を、リセプタクルコネクタ１１のハウジング１６が固定された回路基板１３上の有効利用スペースを低減させることなく行われる簡単で容易な操作をもって、しかも、上述のように、十分な信頼性のもとに安定かつ確実に、行うことができることになる。
【産業上の利用可能性】
【００５１】
本願発明に係る相互係合コネクタ装置は、回路基板に装着される、例えば、リセプタクルコネクタとされる第１のコネクタとケーブルや配線基板が連結される、例えば、プラグコネクタとされる第２のコネクタとを含み、第１のコネクタと第２のコネクタとが相互係合せしめられることにより、第２のコネクタに連結されたケーブルや配線基板を第１のコネクタが装着された回路基板に電気的に連結された状態におくことができる機構を成すものであって、第２のコネクタのハウジングが第１のコネクタのハウジングとの係合状態をとって第１のコネクタと第２のコネクタとが相互係合せしめられる状態のもとで、第１のコネクタに設けられた係止手段と第２のコネクタに変位可能に配された被係止手段とにより、第２のコネクタのハウジングについての第１のコネクタのハウジングに対する係止及び係止の解除を、回路基板上の有効利用スペースを低減させることなく行われる簡単で容易な操作をもって、十分な信頼性のもとに安定かつ確実に行うことができるものとして、様々な電子機器等に広く適用され得るものである。
【符号の説明】
【００５２】
１1 ・・・リセプタクルコネクタ（第１のコネクタ），  １２・・・プラグコネクタ（第１のコネクタ），  １３・・・回路基板，  １４・・・カバー部材，  １５・・・ケーブル，  １５ａ・・・中心導体，  １５ｂ・・・外側導体，  １６・・・ハウジング（第１のハウジング），  １７・・・ハウジング（第２のハウジング），  １８・・・嵌合凹部，  １９・・・リセプタクル側コンタクト（第１のコンタクト），  １９ａ，・・・基板接続部，  １９ｂ・・・接触接続部，  ２１・・・保持金具部材，  ２３・・・半田付け部，  ２４・・・係合係止部，  ２４ａ・・・係合爪部，  ２５・・・シェル部材，  ２５ａ・・・垂下平板部，  ２７・・・係合支持部，  ２８・・・被支持部，  ２９・・・被係止部，  ３０・・・プラグ側コンタクト（第２のコンタクト），  ３０ａ・・・ケーブル接続部，  ３０ｂ・・・当接部，  ３１・・・嵌合凸部，  ３２・・・接地接続板部材
【図１】
2018139175.tif 000003
【図２】
2018139175.tif 000004
【図３】
2018139175.tif 000005
【図４】
2018139175.tif 000006
【図５】
2018139175.tif 000007
【図６】
2018139175.tif 000008
【図７】
2018139175.tif 000009
【図８】
2018139175.tif 000010
【図９】
2018139175.tif 000011
【図１０】
2018139175.tif 000012
【図１１】
2018139175.tif 000013
【図１２】
2018139175.tif 000014
【図１３】
2018139175.tif 000015
【図１４】
2018139175.tif 000016
【図１５】
2018139175.tif 000017
【図１６】
2018139175.tif 000018